(57)【要約】【課題】目視確認の確実性をより向上できる、投票用紙交付装置を提供すること。【解決手段】投票用紙を用紙取出口から１枚ずつ交付する投票用紙交付装置において、交付のための設定作業を操作者に案内する案内情報を、報知部から報知させる、案内部７３を、有しており、案内情報は、操作者に目視確認作業を案内する確認案内情報を含んでおり、確認案内情報は、投票用紙の少なくとも「色」の目視確認作業を操作者に案内する用紙確認案内情報を、含んでおり、確認案内情報で案内された目視確認作業の終了を、入力するための、確認スイッチ９５が、設けられている、ことを特徴としている。【選択図】図４
2018142134.tif 000002
【特許請求の範囲】
【請求項１】
投票用紙を用紙取出口から１枚ずつ交付する投票用紙交付装置において、
装置全体の作動を制御する制御部と、
情報を報知する報知部と、
を少なくとも備えており、
前記制御部は、交付のための設定作業を操作者に案内する案内情報を、前記報知部から報知させる、案内部を、有しており、
前記案内情報は、操作者に目視確認作業を案内する確認案内情報を含んでおり、
前記確認案内情報は、投票用紙の少なくとも「色」の目視確認作業を操作者に案内する用紙確認案内情報を、含んでおり、
前記確認案内情報で案内された目視確認作業の終了を、入力するための、確認スイッチが、設けられている、
ことを特徴とする投票用紙交付装置。
【請求項２】
前記用紙確認案内情報が、投票用紙の「色」及び「選挙種別」の目視確認作業を操作者に案内するものである、
請求項１記載の投票用紙交付装置。
【請求項３】
投票用紙の「色」が、選挙種別毎に特定されている、
請求項１又は２に記載の投票用紙交付装置。
【請求項４】
前記制御部は、電源立ち上げ後の設定モードにおいて投票用紙を投票用紙収容部に最初にセットした第１場面、前記設定モード終了後の投票用紙交付可能な通常モードにおいて投票用紙収容部の開閉蓋を開けて投票用紙を補給又は交換した第２場面、及び、前記設定モード終了後の投票用紙交付可能な通常モードにおいて最初に投票用紙が送り出された第３場面、の内の少なくとも１つの場面で、前記用紙確認案内情報を前記報知部から報知させるように、前記案内部を制御する、第１案内制御部を、有している、
請求項１〜３の何れか一つに記載の投票用紙交付装置。
【請求項５】
前記制御部は、前記確認スイッチによる入力が無い場合には、所定時間経過毎に前記確認案内情報を前記報知部から報知させるとともに、前記確認案内情報に続く案内情報を前記報知部から報知させないように、前記案内部を制御する、第２案内制御部を、有している、
請求項１〜４の何れか一つに記載の投票用紙交付装置。
【請求項６】
前記報知部は、前記確認案内情報を音声で発生する音発生部、及び、前記確認案内情報を文字等で表示する表示部の、いずれか一方又は両方を、含んでいる、
請求項１〜５の何れか一つに記載の投票用紙交付装置。
【請求項７】
前記用紙確認案内情報に、投票用紙の「色」及び「選挙種別」の情報を含ませるための選挙情報設定機構を、更に備えており、
前記選挙情報設定機構は、選挙種別を指定する選挙種別スイッチ、又は、選挙名プレートに設けられた選挙種別毎の識別子を読み取る選挙種別センサー、を有している、
請求項２記載の投票用紙交付装置。
【請求項８】
投票用紙の「色」の目視確認作業を操作者に案内する前記用紙確認案内情報の、報知を、許可するか否かを選択する、報知選択機構を、更に備えており、
前記制御部は、前記報知選択機構が「許可しない」を選択した場合に、投票用紙の「色」の目視確認作業を操作者に案内する前記用紙確認案内情報を、前記報知部から報知させないように、前記案内部を制御する、第３案内制御部を、有している、
請求項１〜７の何れか一つに記載の投票用紙交付装置。
【発明の詳細な説明】
【技術分野】
【０００１】
本発明は、投票用紙を投票者に交付するための投票用紙交付装置に関する。
【背景技術】
【０００２】
従来から、選挙においては、投票用紙交付装置が用いられている。投票用紙交付装置は、多数枚の投票用紙を収容しており、操作者がスイッチを押す度に、投票用紙を１枚ずつ送り出すようになっている。送り出された投票用紙は、操作者が抜き取って選挙人に手渡したり選挙人が自ら抜き取ったりすることによって、選挙人に交付される。それ故、投票用紙交付装置は、投票用紙を１枚ずつ確実に選挙人に交付でき、また、交付した投票用紙の枚数を正確に計数できるので、投票用紙の管理事務の効率化に役立っている。
【０００３】
ところで、複数の選挙が同時に実施される場合には、投票用紙は、複数種別あり、種別毎に、対応する投票用紙交付装置にセットされる。その際、投票用紙交付装置に、誤った種別の投票用紙をセットしてしまうと、投票用紙の誤交付が生じる。
【０００４】
このような投票用紙の誤交付を防止するために、本願出願人は、種々の投票用紙交付装置を提案している（特許文献１〜３）。
【先行技術文献】
【特許文献】
【０００５】
【特許文献１】特開平６−２１５２１８号公報
【特許文献２】特開２０１５−１４６１１４号公報
【特許文献３】特開２０１６−０９１３７３号公報
【発明の概要】
【発明が解決しようとする課題】
【０００６】
特許文献１の投票用紙交付装置では、特別な識別コードを投票用紙に予め印刷しておく必要がある。それ故、この装置は、準備作業が大掛かりとなり、実用化には至っていない。一方、特許文献２、３の投票用紙交付装置は、投票用紙の種別の目視確認を操作者に促すことができる。これらの装置によれば、投票用紙交付装置に誤った種別の投票用紙をセットしてしまうことを、有効に防止できる。
【０００７】
ところで、投票用紙の「色」が選挙種別毎に特定されていれば、すなわち、例えば、「参議院比例代表選挙」は「青色」、「衆議院小選挙区選挙」は「赤色」というように、選挙種別と色とが対応付けられていれば、投票用紙の色を目視確認の対象要素とすることによって投票用紙の誤交付を容易且つ確実に防止できることが、期待される。そこで、将来において、公的に投票用紙の色が選挙種別毎に特定された場合を想定し、本発明は、投票用紙の色を目視確認の対象要素とすることによって目視確認の確実性をより向上できる、投票用紙交付装置を提供することを、目的としている。
【課題を解決するための手段】
【０００８】
本発明は、投票用紙を用紙取出口から１枚ずつ交付する投票用紙交付装置において、装置全体の作動を制御する制御部と、情報を報知する報知部と、を少なくとも備えており、前記制御部は、交付のための設定作業を操作者に案内する案内情報を、前記報知部から報知させる、案内部を、有しており、前記案内情報は、操作者に目視確認作業を案内する確認案内情報を含んでおり、前記確認案内情報は、投票用紙の少なくとも「色」の目視確認作業を操作者に案内する用紙確認案内情報を、含んでおり、前記確認案内情報で案内された目視確認作業の終了を、入力するための、確認スイッチが、設けられている、ことを特徴としている。
【発明の効果】
【０００９】
本発明によれば、交付のための設定作業の実行中に操作者に目視確認作業が案内された場合に、操作者は、確認スイッチを押すこと、すなわち、目視確認作業を行うこと、を促される。したがって、操作者が目視確認を疎かにするのを防止でき、その結果、投票用紙の誤交付が発生するのを防止できる。
【００１０】
しかも、目視確認作業の対象要素として投票用紙の「色」を採用しているので、操作者は、目視確認を容易に且つ確実に行うことができる。よって、この観点からも、操作者が目視確認を疎かにするのを防止でき、その結果、投票用紙の誤交付が発生するのを防止できる。
【図面の簡単な説明】
【００１１】
【図１】本発明の一実施形態による投票用紙交付装置の外観斜視図である。
【図２】図１のII−II断面図である。
【図３】開閉蓋が開いた状態の装置本体の外観斜視図である。
【図４】本実施形態による投票用紙交付装置の制御部のブロック図である。
【図５】本実施形態による投票用紙交付装置の作動を示すフローチャートである。
【図６】図５のフローチャートに続くフローチャートである。
【図７】本実施形態で用いる選挙名プレートの裏面側から見た斜視図である。
【図８】図１のVIII矢視図であり、コントローラ部の背面を示す図である。
【図９】変形構成を採用した投票用紙交付装置の外観斜視図である。
【発明を実施するための形態】
【００１２】
本発明の投票用紙交付装置は、選挙種別毎に特定された色を有する投票用紙を交付する際に、有効に使用できる。よって、実施形態で用いる投票用紙は、選挙種別毎に特定された色を有するものとする。
【００１３】
図１は、本発明の一実施形態の投票用紙交付装置の外観斜視図である。図２は、図１のII−II断面図である。この交付装置１０は、装置本体１とコントローラ部９とからなっている。ここでは、装置本体１とコントローラ部９とは、別体に設けられている。装置本体１は、後述するように、装置全体の作動を制御する制御部を、備えている。また、交付装置１０は、情報を報知する報知部を、備えている。報知部は、後述するように、装置本体１のスピーカー（音発生部）と、コントロール部９の表示パネル（表示部）と、を含んでいる。
【００１４】
装置本体１は、略直方体形状の筐体であり、上カバー（開閉蓋）１１１を有している。図３は、上カバー１１１が開いた状態の装置本体１の外観斜視図である。上カバー１１１は、装置本体１の上壁１１の略後半部と後壁１５の上部とが一体となって構成されている。上カバー１１１は、前縁部１１２を支点として、上下に回動することにより、開閉するようになっている。
【００１５】
装置本体１は、内部に、複数枚の投票用紙Ｐを収容する収容部２と、収容部２において最端に位置する１枚の投票用紙Ｐを、収容部２から取り出して、搬送路３１を通して搬送して、用紙取出口３２から突出させる、用紙送出機構３と、用紙送出機構３の途中から、搬送中の投票用紙Ｐを回収する、回収機構４と、回収された投票用紙Ｐを収容する回収部５と、を有している。上カバー１１１は、回収部５の一部及び収容部２の全部を覆っている。上カバー１１１は、外部から収容部２を視認できるように構成されており、具体的には、透明に形成されている。
【００１６】
装置本体１は、後壁１５の片隅に、電源（図示せず）からの通電をオンオフする電源スイッチ１０１と、電源へのコネクタ１０２と、を有している。更に、装置本体１は、装置全体の作動を制御する制御部７０（図４）を有している。図４は、制御部７０のブロック図である。制御部７０は、ＣＰＵ、ＲＯＭ、ＲＡＭ等により、実現されている。
【００１７】
コントローラ部９は、コード９１を介して、装置本体１の制御部７０に接続されており、制御部７０に制御信号を送信するようになっている。コントローラ部９は、操作キー９２、９３、表示パネル（表示部）９４、確認スイッチ９５、及び消音スイッチ９６等を、有している。
【００１８】
確認スイッチ９５は、押されることによってオンするようになっている。また、確認スイッチ９５は、表示ランプを構成するＬＥＤと一体となっている。ＬＥＤとしては、白色ＬＥＤが好ましく用いられている。
【００１９】
収容部２は、複数枚の投票用紙Ｐを収容する空間として構成されており、立壁２１と底壁２２と両側壁２３とで囲まれている。立壁２１は、上部が前になるように少し傾斜しており、収容部２と用紙送出機構３とを隔てている。底壁２２は、用紙送出機構３に向けて少し低くなるように傾斜している。投票用紙Ｐは、図２に示されるように、立壁２１に沿うように立てた状態で、且つ、立壁２１側から重ねた状態で、収容部２に収容される。底壁２２には、収容した投票用紙Ｐを立壁２１に向けて押し付ける押さえ部材２５が設けられている。押さえ部材２５は、板体であり、前後方向（矢印Ｙ方向）に移動可能に設けられており、スプリング２６によって立壁２１側へ常時付勢されている。
【００２０】
用紙送出機構３は、操作キー９２又は９３を１回オンすると、次のように１回作動するようになっている。すなわち、図２に示されるように、まず、取出ローラ３３１及び捌き部材３３２によって、収容部２において最も前に（すなわち最端に）位置している投票用紙Ｐが、収容部２から取り出され、搬送路３１へ送り出される。このとき、偏心ローラ３３３が、立壁２１から収容部２内へ周期的に突出するように回転して、重なっている投票用紙Ｐを揺動させるので、投票用紙Ｐ同士の間に隙間が生じ、１枚の投票用紙Ｐが取り出しやすくなる。搬送路３１に送り出された投票用紙Ｐは、搬送ローラ３４１、３４２、３４３によって、用紙取出口３２まで搬送される。投票用紙Ｐは、抜き取り検出部材３５１を回動させながら搬送されて、用紙取出口３２から突出し、回動から復帰した抜き取り検出部材３５１によって、下部が押さえられ、これによって、一部が用紙取出口３２から突出した状態で止まる。なお、抜き取り検出部材３５１は、スプリング（図示せず）によって復帰方向に常時付勢されている。そして、次の投票用紙Ｐの先端が１対のセンサー３６１によって検知されると、全てのローラの作動が停止する。次いで、用紙取出口３２から突出した投票用紙Ｐが、投票者によって抜き取られると、抜き取り検出部材３５１の回動がセンサー３６２によって検知され、装置本体１の前部に内蔵されたスピーカー（音発生部）６２から選挙の種別等を告げる音声が流れる。
【００２１】
回収機構４は、搬送路３１内に突出するように回動可能な排除ガイド部材４１を、備えている。排除ガイド部材４１は、搬送路３１内に突出するように回動すると、搬送ローラ３４３との間に、搬送路３１と回収部５とを連通させる通路４０を構成し、それによって、搬送されて来る投票用紙Ｐを搬送路３１から回収部５へ逃がすようになっている。なお、排除ガイド部材４１は、例えば、投票用紙Ｐの重なりがセンサー３６１によって検知されると、回動して搬送路３１内に突出するように、制御部７０によって制御されている。それ故、回収機構４によれば、重なった投票用紙Ｐが用紙取出口３２から突出するのを防止できる。
【００２２】
回収部５は、通路４０を搬送されて来た投票用紙Ｐが積載されていく空間として構成されており、底壁５１と両側壁５３とで囲まれている。底壁５１は、後方向に高くなるように傾斜している。両側壁５３は、例えば、収容部２を構成している両側壁２３と同じ壁である。
【００２３】
また、装置本体１は、内部に、照明具６１を有している。照明具６１は、上カバー１１１の前縁部１１２の内面に、設けられており、上カバー１１１が閉じた状態で、収容部２及び回収部５を照らすように、配置されている。照明具６１としては、演色性が優れているという観点から、白色ＬＥＤ又は白色系電球が好ましく用いられている。
【００２４】
制御部７０は、図４に示されるように、コントローラ部９からの信号を受けて、用紙送出機構３を作動させる、送出制御部７１を、有している。
【００２５】
更に、制御部７０は、交付のための設定作業に関連して、案内部７３、第１案内制御部７４、第２案内制御部７５等を、有している。交付のための設定作業とは、投票用紙交付装置１０を交付可能状態にする作業を意味する。
【００２６】
案内部７３は、交付のための設定作業を操作者に案内する案内情報を、報知部（スピーカー６２及び表示パネル９４）から報知させるようになっている。具体的には、案内部７３は、案内情報の音声（案内音声）をスピーカー６２から発生させると同時に、当該案内情報を文字等で表示パネル９４に表示するようになっている。
【００２７】
案内情報は、交付のための設定に必要な一連の複数の作業をそれぞれ案内する情報である。その案内情報は、操作者に目視確認作業を案内する確認案内情報を含んでおり、確認案内情報は、投票用紙の「色」の目視確認作業を操作者に案内する「用紙確認案内情報」を、少なくとも含んでいる。
【００２８】
確認スイッチ９５は、確認案内情報で案内された目視確認作業の終了を入力できるように、設けられている。
【００２９】
第１案内制御部７４は、所定の場面において、用紙確認案内情報を報知部から報知させるように、案内部７３を制御するようになっている。所定の場面とは、電源立ち上げ後の設定モードにおいて投票用紙を収容部２に最初にセットした第１場面、設定モード終了後の投票用紙交付可能な通常モードにおいて収容部２の上カバー１１１を開けて投票用紙を補給又は交換した第２場面、及び、設定モード終了後の投票用紙交付可能な通常モードにおいて最初に投票用紙が送り出された第３場面、の内の少なくとも１つである。なお、最初送出時では、投票用紙は、用紙取出口３２からは送出されず、強制的に回収部５へリジェクトされる。
【００３０】
第２案内制御部７５は、確認スイッチ９５による入力が無い場合には、所定時間経過毎に確認案内情報を報知部から報知させるとともに、確認案内情報に続く案内情報を報知部から報知させないように、案内部７３を制御するようになっている。
【００３１】
消音スイッチ９６は、交付のための設定作業の終了後に押すと、その後の音声の発生を停止するようにスピーカー６２を制御するようになっている。
【００３２】
そして、上記構成の交付装置１０において、交付のための設定作業は、例えば、次のように実行される。図５及び図６は、設定作業の流れを示すフローチャートである。
【００３３】
（１）操作者が、装置本体１の電源スイッチ１０１をオンすると、案内部７３が作動を開始して、案内情報が報知部から報知され、すなわち、設定作業の案内が始まる（ステップ（Ｓ）１）。
【００３４】
（２）「選挙名プレートを入れ、確認スイッチ（ＳＷ）を押して下さい」との案内音声が流れる（Ｓ２）。このとき、同内容の案内情報が表示パネル９４に表示され、また、確認スイッチ９５が点灯する。
【００３５】
なお、ここでは、操作者に確認スイッチ９５の押下を促すために、確認スイッチ９５を点灯させているが、代わりに、確認スイッチ９５を点滅させてもよく、又は、表示パネル９４の液晶画面のバックライトを点滅させてもよい。
【００３６】
また、本実施形態の交付装置１０は、用紙確認案内情報に、投票用紙の「色」及び「選挙種別」の情報を含ませるための選挙情報設定機構を備えている。ここでは、選挙情報設定機構は、選挙名プレートと、選挙名プレートに設けられた選挙種別毎の識別子を読み取る選挙種別センサーと、を有している。なお、本実施形態では、選挙情報設定機構として、後述する選挙種別スイッチ９０３（図４参照）も採用している。
【００３７】
図７は、選挙名プレート８を示している。プレート８の表面８１には、選挙名、例えば「参議院比例代表選挙」が印刷されている。プレート８の裏面８２には、４個の識別符号用印刷領域８２１、８２２、８２３、８２４が設定されており、任意の組み合わせの領域のみに識別符号が印刷されている。ここでは、領域８２２、８２３のみに識別符号が印刷されており、これは、「参議院比例代表選挙」と当該選挙に対応付けられた投票用紙の「色」（ここでは「青色」）とを示している。このように、識別符号が印刷された領域の組み合わせによって、「選挙種別」及び「色」が特定されるようになっている。一方、装置本体１の前面の上部には、プレート用取付面８５（図１）が設けられており、取付面８５には、識別符号を検知するための選挙種別センサーである４個の反射型センサー（図示せず）が設けられている。４個の反射型センサーは、プレート８が取付面８５に取り付けられた際に４個の領域８２１、８２２、８２３、８２４のそれぞれに対向するように、配置されている。したがって、プレート８が取付面８５に取り付けられると、４個の領域８２１、８２２、８２３、８２４の内の、識別符号が印刷された領域の組み合わせが、反射型センサーによって検知され、これにより、この交付装置１０で交付する投票用紙の「選挙種別」及び「色」が特定される。
【００３８】
したがって、このステップＳ２においては、選挙名プレート８を入れると、自動的に「選挙種別」及び「色」が特定されるが、選挙名プレート８を正しく入れていない場合があり得るので、選挙名プレートが正しく入っていることを担保するために、確認スイッチ９５を押すこととしている。
【００３９】
（３）確認スイッチ９５が押されない間は、第２案内制御部７５が作動するので、案内情報の報知は続行されず、すなわち、次の案内音声は流れず、また、当該次の案内情報は表示パネル９４に表示されず（Ｓ３）、しかも、確認スイッチ９５が押されない間は、所定時間が経過する毎に、ステップＳ２で報知された案内情報すなわち「選挙名プレートを入れ、確認スイッチ（ＳＷ）を押して下さい」がスピーカー６２及び表示パネル９４を介して繰り返し報知される。
【００４０】
確認スイッチ９５が押されると、次の案内音声に移行する（Ｓ３）。このとき、確認スイッチ９５は消灯する。
【００４１】
（４）「参議院比例代表を選定」及び「正しければ確認スイッチを押して下さい」との案内音声が流れる（Ｓ４）。このとき、同内容の案内情報が表示パネル９４に表示され、また、確認スイッチ９５が点灯する。このステップにおいては、「正しければ」というのは、操作者に案内される目視確認作業であるので、目視確認した後に確認スイッチ９５を押すこととしている。
【００４２】
（５）確認スイッチ９５が押されない間は、第２案内制御部７５が作動するので、案内情報の報知は続行されず、すなわち、次の案内音声は流れず、また、当該次の案内情報は表示パネル９４に表示されず（Ｓ５）、しかも、確認スイッチ９５が押されない間は、所定時間が経過する毎に、ステップＳ４で報知された案内情報すなわち「参議院比例代表を選定」及び「正しければ確認スイッチを押して下さい」がスピーカー６２及び表示パネル９４を介して繰り返し報知される。
【００４３】
確認スイッチ９５が押されると、次の案内音声に移行する（Ｓ５）。このとき、確認スイッチ９５は消灯する。
【００４４】
（６）「上カバーを開けて下さい」との案内音声が流れる（Ｓ６）。このとき、同内容の案内情報が表示パネル９４に表示される。
【００４５】
（７）「上カバーを開ける」ことは、操作者に案内される操作作業であるので、上カバー１１１が開くと、それが、作業検知センサー（図示せず）によって検知される。
【００４６】
作業検知センサーによって検知されない間は、案内情報の報知は続行されず、すなわち、次の案内音声は流れず、また、当該次の案内情報は表示パネル９４に表示されない（Ｓ７）。
【００４７】
作業検知センサーによって検知されると、次の案内音声に移行する（Ｓ７）。
【００４８】
（８）「白いレバーを突きあたりまで引いて下さい」及び「用紙をよくさばいてセットして下さい」の案内音声が、続けて流れる（Ｓ８、９）。このとき、同内容の案内情報が表示パネル９４に順に表示され、また、確認スイッチ９５が点灯する。なお、白いレバーは、押さえ部材２５（図２、図３）であり、また、これらの案内情報は、操作者の操作作業を案内しているが、センサーを設けて検知するほどのことではないので、センサーによる検知は、していない。
【００４９】
（９）ステップＳ９の案内情報に基づく作業は、投票用紙を収容部２に最初にセットした場面（すなわち第１場面）であるので、第１案内制御部７４が作動して、投票用紙の色の目視確認作業を操作者に案内する用紙確認案内情報が報知部から報知される。すなわち、「セットした用紙は青色ですか？正しければ確認スイッチを押して下さい」との案内音声が、流れる（Ｓ１０）。このとき、同内容の案内情報が表示パネル９４に順に表示され、また、確認スイッチ９５が点灯する。この案内情報の「正しければ」というのは、操作者に案内される目視確認作業であるので、目視確認した後に確認スイッチ９５を押すこととしている。
【００５０】
（９）確認スイッチ９５が押されない間は、第２案内制御部７５が作動するので、案内情報の報知は続行されず、すなわち、次の案内音声は流れず、また、当該次の案内情報は表示パネル９４に表示されず（Ｓ１１）、しかも、確認スイッチ９５が押されない間は、所定時間が経過する毎に、ステップＳ１０で報知された案内情報すなわち「セットした用紙の色が正しければ確認スイッチを押して下さい」がスピーカー６２及び表示パネル９４を介して繰り返し報知される。
【００５１】
確認スイッチ９５が押されると、次の案内音声に移行する（Ｓ１１）。このとき、確認スイッチ９５は消灯する。
【００５２】
（１０）「上カバーを閉めて、用紙設定スイッチを押して下さい」との案内音声が、流れる（Ｓ１２）。このとき、同内容の案内情報が表示パネル９４に表示される。
【００５３】
なお、図１のVIII矢視図である図８に示されるように、コントロール部９の背面には、種々のスイッチが設けられている。スイッチ９０１は、有権者数を入力すると表示パネル９４に投票率を表示させる「有権者数スイッチ」である。スイッチ９０２は、都道府県及び区市町村を選択する「使用地域スイッチ」である。スイッチ９０３は、選挙種別と当該選挙種別に特定された色とを同時に選択する「選挙種別スイッチ」である。スイッチ９０４は、後述する。スイッチ９０５は、アナウンサーの性別及びアナウンスのタイミングを選択する「アナウンススイッチ」である。スイッチ９０６は、音量を小さくする「音量−スイッチ」である。スイッチ９０７は、音量を大きくする「音量＋スイッチ」である。スイッチ９０８は、投票用紙の枚数表示を「０」にする「クリアスイッチ」である。スイッチ９０９は、用紙の種別を登録する「用紙設定スイッチ」である。
【００５４】
そして、制御部７０は、用紙設定スイッチ９０９が押されると、用紙送出機構３を１回作動させるようになっている。すなわち、用紙設定スイッチ９０９を押すと、用紙送出機構３が１回作動して、収容部２における最端の投票用紙Ｐが、収容部２から取り出され、回収部４へ強制的に回収される。このとき、センサー３６１が、投票用紙Ｐの透過光量を検出する。制御部７０は、センサー３６１によって検出された透過光量を基準値として設定し、該基準値と、それ以降に収容部２から取り出される投票用紙Ｐの透過光量と、を比較して、基準値から外れる透過光量の投票用紙Ｐを回収部４へ強制的に回収するようになっている。これにより、種別の異なる（すなわち選挙名が異なる）投票用紙が交付されるのが、防止される。すなわち、投票用紙の誤交付が防止される。
【００５５】
（１１）上カバー１１１が閉まると、それが、作業検知センサーによって検知されるので、次の案内音声に移行しようとするが、このステップでは、用紙設定スイッチ９０９が押されない間は、案内情報の報知は続行されず、すなわち、次の案内音声は流れず、また、当該次の案内情報は表示パネル９４に表示されない（Ｓ１３）。
【００５６】
用紙設定スイッチ９０９が押されると、次の案内音声に移行する（Ｓ１３）。
【００５７】
（１２）ステップＳ１２の案内情報に基づく作業は、操作者が用紙設定スイッチ９０９を押すことにより、投票用紙が収容部２から１枚送り出され、投票用紙の厚さがセンサー３６１によって検出されて基準値が設定・保存されるとともに、投票用紙が１枚であること及び投票用紙の種別に間違いがないことについての目視確認を操作者に促すので、第１案内制御部７４が作動して、投票用紙の色の目視確認作業を操作者に案内する用紙確認案内情報が報知部から報知される。すなわち、「用紙が１枚排出されましたか」及び「用紙は青色ですか？正しければ確認スイッチを押して下さい」との案内音声が、流れる（Ｓ１４）。このとき、同内容の案内情報が表示パネル９４に表示され、また、確認スイッチ９５が点灯する。「正しければ」というのは、操作者に案内される目視確認作業であるので、目視確認した後に確認スイッチ９５を押すこととしている。なお、操作者は、上カバー１１１を開けて、回収部４に排出された投票用紙が本当に１枚であるか否かを直接に確認する。
【００５８】
（１３）確認スイッチ９５が押されない間は、第２案内制御部７５が作動するので、案内情報の報知は続行されず、すなわち、次の案内音声は流れず、また、当該次の案内情報は表示パネル９４に表示されず（Ｓ１５）、しかも、確認スイッチ９５が押されない間は、所定時間が経過する毎に、ステップＳ１４で報知された案内情報すなわち「用紙が１枚排出されましたか」及び「用紙は青色ですか？正しければ確認スイッチを押して下さい」がスピーカー６２及び表示パネル９４を介して繰り返し報知される。
【００５９】
確認スイッチ９５が押されると、次の案内音声に移行する（Ｓ１５）。このとき、確認スイッチ９５は消灯する。
【００６０】
（１４）「上カバーを閉めて下さい」との案内音声が、流れる（Ｓ１６）。このとき、同内容の案内情報が表示パネル９４に表示される。
【００６１】
（１５）「上カバーを閉める」ことは、操作者に案内される操作作業であるので、上カバー１１１が閉まると、それが、作業検知センサーによって検知される。
【００６２】
作業検知センサーによって検知されない間は、案内情報の報知は続行されず、すなわち、次の案内音声は流れず、また、当該次の案内情報は表示パネル９４に表示されない（Ｓ１７）。
【００６３】
作業検知センサーによって検知されると、次の案内音声に移行する（Ｓ１７）。
【００６４】
（１６）「準備完了」との案内音声が、流れる（Ｓ１８）。このとき、同内容の案内情報が表示パネル９４に表示される。
【００６５】
（１７）表示パネル９４に、図６のステップＳ１９に示されるように、選挙名、合計欄、男性欄、及び女性欄が、表示される（Ｓ１９）。
【００６６】
（１８）こうして、設定作業が終了し（Ｓ２０）、これにより、交付装置１０は、交付可能状態になる。
【００６７】
そして、操作者は、交付作業を実施する。すなわち、操作者は、投票者が一人来ると、操作キー９２又は９３を１回オンする。このとき、投票者が男性の場合には男性用の操作キー９２をオンし、投票者が女性の場合には女性用の操作キー９３をオンする。
【００６８】
操作キー９２又は９３が１回オンされると、用紙送出機構３が１回作動して、収容部２における最端の投票用紙Ｐが、収容部２から取り出され、搬送路３１を通して搬送されて、用紙取出口３２から突出する。用紙取出口３２から突出した投票用紙Ｐは、投票者によって抜き出され、これにより、投票者の男女別の数が、カウントされて、表示パネル９４に表示される。抜き出された投票用紙Ｐは、投票に使用される。操作キー９２又は９３は、投票者が来る度に、１回オンされ、その度に、用紙送出機構３は、１回作動する。
【００６９】
以上のようにして、投票用紙の交付作業は、行われる。
【００７０】
上記構成の交付装置１０によれば、次のような効果を発揮できる。
【００７１】
（ａ）設定作業の実行中に操作者に目視確認作業が案内された場合に、操作者は、確認スイッチ９５を押すこと、すなわち、目視確認作業を行うこと、を促される。したがって、操作者が目視確認を疎かにするのを防止でき、その結果、投票用紙の誤交付が発生するのを防止できる。
【００７２】
（ｂ）目視確認作業の対象要素として投票用紙の「色」を採用しているので、操作者は、目視確認を容易に且つ確実に行うことができる。よって、この観点からも、操作者が目視確認を疎かにするのを防止でき、その結果、投票用紙の誤交付が発生するのを防止できる。
【００７３】
（ｃ）操作者が確認スイッチ９５を押さない間は次の案内音声に移行せず、また、当該次の案内情報が表示パネル９４に表示されない（すなわち案内情報の報知が続行しない）ので、操作者に対して、目視確認作業を行うように促すことができる。
【００７４】
（ｄ）操作者が確認スイッチ９５を押さない間は、所定時間経過毎に、同じ確認案内情報が繰り返し報知されるので、操作者に対して、積極的に、目視確認作業を行うように促すことができる。
【００７５】
（ｅ）投票用紙に補給又は交換等の動きがある場合には、第１案内制御部７４によって、投票用紙の色の目視確認作業が案内されるので、一連の設定作業の中で投票用紙の色を複数回確認することとなる。よって、この点からも、投票用紙の誤交付が発生するのを防止できる。
【００７６】
（ｆ）案内情報を、スピーカー６２を介した音声、又は、表示パネル９４を介した文字等の表示、又は、その両方によって、操作者に対して報知できるので、利便性を向上できる。
【００７７】
なお、上記構成の交付装置１０は、次のような変形構成を採用してもよい。
【００７８】
（ｉ）用紙確認案内情報として、投票用紙の「色」だけでなく「選挙種別」についても操作者に同時に目視確認作業を案内する確認案内情報を、採用する。この場合、報知部からは、投票用紙の「色」及び「選挙種別」の目視確認作業の案内、例えば「参議院比例代表選挙ですか？用紙は青色ですか？正しければ確認スイッチを押して下さい」が、報知される。これによれば、投票用紙の「色」及び「選挙種別」の両方の目視確認を操作者に促すことができるので、投票用紙の誤交付が発生するのをより確実に防止できる。
【００７９】
（ii）投票用紙の「色」の目視確認作業を操作者に案内する用紙確認案内情報の、報知を、許可するか否かを選択する、報知選択機構を、更に備える。この報知選択機構は、例えばコントローラ部９に報知選択スイッチ９０４を設けることによって、実現できる。そして、この場合、制御部７０は、選択機構が「許可しない」を選択した場合に、投票用紙の「色」の目視確認作業を操作者に案内する用紙確認案内情報を、報知部から報知させないように、案内部７３を制御する、第３案内制御部７６（図４参照）を、有している。これによれば、投票用紙の「色」に関する案内が不要の場合に、その案内を省略できるので、案内を簡素化できる。
【００８０】
（iii）通常モードにおける交付作業時において、第１案内制御部７４が、収容部２の上カバー１１１を開けて投票用紙を補給又は交換した場面（すなわち第２場面）のみで、又は、当該場面においても、作動するようになっている。
【００８１】
（iv）通常モードにおける交付作業時において、第１案内制御部７４が、最初に投票用紙が送り出された場面（すなわち第３場面）のみで、又は、当該場面においても、作動するようになっている。
【００８２】
（ｖ）第２案内制御部７５が、用紙確認案内情報が報知された後にのみ作動するようになっている。
【００８３】
（vi）装置本体１とコントローラ部９とを、一体に設ける。具体的には、図９に示されるように、コード９１が省かれて、コントローラ部９が装置本体１に合体されている。これによれば、交付装置１０の、搬送、設置、及び保管の各作業が、容易となる。
【００８４】
（vii）報知部が、スピーカー（音発生部）６２及び表示パネル（表示部）９４のいずれか一方を、含んでいない。報知部がスピーカー６２を含んでいない場合には、案内部７３は、案内情報を、スピーカー６２から音声として報知させることはなく、表示パネル９４に表示させるように、作動する。又は、報知部が表示パネル９４を含んでいない場合には、案内部７３は、案内情報を、表示パネル９４から報知させることはなく、スピーカー６２から音声として報知させるように、作動する。
【００８５】
（viii）報知部がスピーカー６２及び表示パネル９４の両方を含んでいる場合であっても、案内部７３が、案内情報を、スピーカー６２及び表示パネル９４のいずれか一方のみから報知させるように、作動する。
【００８６】
（ix）選挙情報設定機構が、選挙種別スイッチ９０３を押すと、自動的に、選挙種別に対応した「色」が設定されるように、構成されている。
【００８７】
（ｘ）選挙情報設定機構が、選挙種別スイッチと色設定スイッチ（図示せず）とを有しており、選挙種別スイッチは選挙種別を設定でき、色設定スイッチは投票用紙に対応した色を任意に選択して設定できる。なお、色設定スイッチで選択できる色は、選挙種別に対応した形態で又は対応しない単独の形態で、複数記憶されている。
【００８８】
（xi）設定作業の案内情報が、操作者に操作作業を案内する上述したような操作案内情報や、上述したような確認案内情報の他に、単に注意を喚起するだけであり且つ何らの作業も要求しない注意案内情報を、含んでいる。
【００８９】
（xii）交付のための設定作業が、電源スイッチをオンする度に毎回開始され、又は、工場出荷後に電源スイッチを最初にオンした時には必ず開始される。そして、設定作業終了後、操作者は、（ａ）「設定作業は行わず、前回の設定を採用する」又は（ｂ）「設定作業を開始する」を選択できる。
【００９０】
（xiii）案内情報として、上記の内容及び表現に限らず、適宜に変更したものを採用する。
【産業上の利用可能性】
【００９１】
本発明の投票用紙交付装置は、投票用紙の誤交付が発生する恐れを効果的に低減できるので、産業上の利用価値が大である。
【符号の説明】
【００９２】
１０  投票用紙交付装置  ３２  用紙取出口  ６２  スピーカー（音発生部）
７０  制御部  ７３  案内部  ７４  第１案内制御部  ７５  第２案内制御部
７６  第３案内制御部  ９０３  選挙種別スイッチ
９０４  報知選択スイッチ（報知選択機構）  ９４  表示パネル（表示部）
９５  確認スイッチ
【図１】
2018142134.tif 000003
【図２】
2018142134.tif 000004
【図３】
2018142134.tif 000005
【図４】
2018142134.tif 000006
【図５】
2018142134.tif 000007
【図６】
2018142134.tif 000008
【図７】
2018142134.tif 000009
【図８】
2018142134.tif 000010
【図９】
2018142134.tif 000011